(57)【特許請求の範囲】
【請求項１】
間仕切の枠フレームを、左右一対の支柱部と、該左右支柱部の適宜高さ位置で横に連結する横桟とにより構成し、その少なくとも上下一対の横桟と前記左右一対の支柱部とで囲まれた区域を通風性もしくは透光性の空間となし、
前記支柱部における前記空間寄りの一側面に上下長手の縦カバー体を着脱可能に装着することにより、前記支柱部の前記一側面と前記縦カバー体とで囲まれた空所を、前記空間に対して区画された配線空間に形成し、
前記上下両横桟のうち前記配線空間に臨む箇所には、コード類が通るコード挿通孔を穿設したことを特徴とする間仕切の配線構造。
【請求項２】
前記縦カバー体はその横断面が一側開放状の溝型断面に形成され、且つ縦カバー体の一対の開放縁片はそれ自体の弾性により、前記支柱部の対向する一対の側面を挟持できるように構成されていることを特徴とする請求項１に記載の間仕切の配線構造。
【請求項３】
前記縦カバー体の内面には、前記支柱部の一対の側面に摺接するスライダを設けたことを特徴とする請求項１または請求項２に記載の間仕切の配線構造。
【発明の詳細な説明】
【０００１】
【発明の属する技術分野】
本発明は、間仕切の配線構造に関するものである。
【０００２】
【従来の技術】
間仕切にコード類を配線できるようにすることは従来から種々考えられており、上端部に配線用のダクトを設けてこれを天カバーで塞いだり、或いは、巾木で塞がれた下端部に配線用ダクトを設けたりすることは広く行われている。
【０００３】
また、実公平８−１００９７９号公報には、表裏パネルの間に空間が開いた中空状の間仕切において、その中途高さ位置の内部に、表裏パネルで挟まれた配線用ダクトを水平状に設けることが記載されている。
【０００４】
また、実開平７−２１８２５号公報には、間仕切の中途高さ位置に、水平状に延びる配線用収納部を形成し、この収納部の長手方向の側面を覆い、且つパネルと同じ平面状に配置したカバー体を着脱自在に構成することにより、この収納部から間仕切の表面にコード類を引き出すことを可能とする技術が開示されている。
【０００５】
更に、実用新案登録第２７４７２５９号公報には、表裏パネルの間に空間を開けた中空状の間仕切において、その内部に配線スペース（ケーブルダクトスペース）を形成し、このケーブルダクトスペースをパネルで覆い、更に、パネルの下方に、ケーブル類（コード類）を引き出しできる隙間を設けることが記載されている。
【０００６】
ところで、近年の間仕切は単に室を仕切る機能のみでなく、その前面に机天板を取付けるなど機能が向上しており、このため、間仕切の表面箇所からコード類を引き出しできることが要請されている。
【０００７】
しかし、実公平８−１００９７号公報のように、パネルで隠れた内部に配線用ダクトを設けたものは、単に間仕切の内部を配線通路として利用できるに過ぎず、上記要請には応え難い問題があった。
【０００８】
これに対して実開平７−２１８２５号公報や実用新案登録第２７４７２５９号公報の場合は、コード類を間仕切の表面方向に引き出すことができるため、使い勝手を向上できるようになっている。
【０００９】
他方、近年の自立型等の間仕切において、例えば、実公平４−１１０４６号公報に開示されているように、採光のために透明もしくは半透明のガラス板や樹脂板を通常の不透明なパネルの代わりに嵌め入れたり、通気性を向上させるために、間仕切の一部に前記パネルを配置しない空間箇所を形成することが行われている。
【００１０】
【発明が解決しようとする課題】
しかしながら、前記通常のパネルを配置しない箇所であっても、間仕切内に挿通した配線用のコード類を前記机天板等の箇所に引き回す必要があるところ、特に前記採光性及び／または通気性のためにパネルを設けていない空間箇所では、挿通したコード類の途中部分が露出して外観が悪くなるという問題があった。
【００１１】
本発明は、この問題を解消した間仕切における配線構造を提供することを目的とするものである。
【００１２】
【課題を解決するめたの手段】
前記目的を達成するため請求項１に記載の発明の間仕切における配線構造は、間仕切の枠フレームを、左右一対の支柱部と、該左右支柱部の適宜高さ位置で横に連結する横桟とにより構成し、その少なくとも上下一対の横桟と前記左右一対の支柱部とで囲まれた区域を通風性もしくは透光性の空間となし、前記支柱部における前記空間寄りの一側面に上下長手の縦カバー体を着脱可能に装着することにより、前記支柱部の前記一側面と前記縦カバー体とで囲まれた空所を、前記空間に対して区画された配線空間に形成し、前記上下両横桟のうち前記配線空間に臨む箇所には、コード類が通るコード挿通孔を穿設したものである。
【００１３】
また、請求項２に記載の発明は、請求項１に記載の間仕切の配線構造において、前記縦カバー体はその横断面が一側開放状の溝型断面に形成され、且つ縦カバー体の一対の開放縁片はそれ自体の弾性により、前記支柱部の対向する一対の側面を挟持できるように構成されているものである。
【００１４】
そして、請求項３に記載の発明は、請求項１または請求項２に記載の間仕切の配線構造において、前記縦カバー体の内面には、前記支柱部の一対の側面に摺接するスライダを設けたものである。
【００１５】
【発明の実施形態】
次に、本発明を具体化した実施形態を図面に基づいて説明する。図１は間仕切の全体斜視図、図２は間仕切の枠体の上半部の一部切欠き斜視図、図３は間仕切の枠体の下半部の正面図、図４は縦方向の配線構造の要部縦断面図である。間仕切は複数のユニット１を平面視直線状やＴ字状等に接続して成っており、図１では、３つ以上のユニット１で囲われた空間に机天板２を配置し、該机天板２はユニット１を構成する枠フレーム３に着脱自在に突設した図示しないブラケットにて支持されている。
【００１６】
図２は各ユニット１を構成する枠フレーム３の概略斜視図であり、金属製の枠フレーム３は主としてメインフレーム４からなり、その上面に積上げ式フレーム５を所望により接合してもよい。両フレーム４，５とも左右一対の中空状断面の縦長の支柱部６と横長の横長連結部材７とを備えており、メインフレーム４は支柱部６の上下を横長連結部材７，７にて連結しているが、積上げ式フレーム５では、支柱部６の上部だけが横長連結部材７で連結されている。
【００１７】
積上げ式フレーム５における左右一対の支柱部６の下端にガイド片８を下向き突設し、これを、メインフレーム４における支柱部６の縦溝９に嵌め入れ、その状態で、メインフレーム４の横長連結部材７と積上げ式フレーム５の支柱部６とを取付け金具１０及びねじ１１で締結している。左右に隣合ったフレーム４、５の支柱部６は図示しない金具で一体に連結されている。
【００１８】
各支柱部６には、棚板（図示せず）を支持するブラケット（図示せず）や机天板２を支持するブラケットを取付けるための溝孔１２が上下方向に沿って多数形成されている。また、メインフレーム４や積上げ式フレーム５の前後面を覆うためのパネル１４等を取付けるための係合孔１３も適宜個数形成されている。
【００１９】
次に、図３〜図８を参照しながら、枠フレーム３としてのメインフレーム４における縦方向の配線構造について説明する。メインフレーム４における左右一対の支柱部６、６の高さ方向中途部には、図３及び図６に示すような断面Ｃ型チャネル状の上下の横桟１５、１５を連結金具１６等を介して連結する。連結金具１６は、支柱部６の側面に穿設された前記係合孔１３に基端を嵌合して吊懸してその下端に屈曲形成された突出部１６ａを有する。横桟１５の水平板１５ａの左右両端部には支柱部６の前後側面を囲むことができる切欠き部１７が形成され、該切欠き部１７に続いて、上下方向に貫通するコード挿通孔１９が平面視で略半円状に切欠き穿設されている（図４、図５及び図６で一方のみ示す）。そして、該コード挿通孔１９の縁には垂直方向に屈曲させた平面視円弧状の規制片２０を備えている。
【００２０】
従って、正面視矩形枠状のメインフレーム４の適宜高さ位置に、左右一対の支柱部６、６の間に上下の横桟１５、１５を差し込んで、連結金具１６、１６を介して接合できる。この左右一対の支柱部６、６と上下の横桟１５、１５とで囲まれた正面視矩形状の区域は、上述の通常のパネル１４を装着せず、間仕切の前後に貫通する空間２１とする。例えば、机天板２より下方に前記空間２１を形成して、机天板２の前に座る人の足元の通気性及び採光性を良好とするものである（図１参照）。
【００２１】
図３において、下側の横桟１５より下方には、巾木２２を支柱部６、６の前後面に着脱自在に取付けてあり、二重床２３等から電源用や配線用のコード類２４を引き出し、支柱部６の一側（前記空間２１に対面する側）に沿って上方に延ばし、下方の横桟１５のコード挿通孔１９及び上方の横桟１５のコード挿通孔１９を経てその上方のコード受け樋２５の端部等に導き、該コード受け樋２５の長手方向の外側面側に配置された回動カバー体２６の切欠溝２７から間仕切の前面もしくは後面等にコード類２４を引き出すことができるようにする。その場合、前記上下横桟１５、１５の間の空間２１の箇所でコード類２４の中途部が外部から見えないようにするための縦樋状（一側開放状の溝型断面）の縦カバー体２９を前記支柱部６の側面に弾性的に被嵌装着して取付けるのである（図３及び図６参照）。
【００２２】
縦カバー体２９は、金属板をプレス等にて湾曲成形したもので、前記コード挿通孔１９を隠し、且つ前記規制片２０の外面に沿うことができるように、断面中央部位は略半円状に形成され、その開放縁片である両側片２９ａ，２９ａは、支柱部６の前後外面に当接する断面コ字型に屈曲形成されている。この縦カバー体２９は、自由状態において、その一対の両側片２９ａ，２９ａの内側間の寸法を、前記支柱部６の前後側面間の距離より若干小さくなるように形成し、該縦カバー体２９自体の弾性力に抗して前記一対の両側片２９ａ，２９ａの自由端間の距離を若干広げた状態で支柱部６の前後外面に嵌め入れて挟持するのである。なお、前記一対の両側片２９ａ，２９ａの内面には、図７、図８（ａ）及び図８（ｂ）に示すような摩擦係数の小さい材料（例えば、フッ素樹脂材）からなる上下一対のスライダ３０を固着し、支柱部６と縦カバー体２９との金属片同士の接触を防止し、スライダ３０における当接片３０ａが摺接可能となるように構成している。
【００２３】
上記の構成により、前記巾木２２及び縦カバー体２９を外した状態で、コード類２４をユニット１の厚さ内にて下の横桟１５の端部のコード挿通孔１９を介して上方に引き出し、支柱部６に沿わせて上方の横桟１５のコード挿通孔１９から上に導いた後、前記空間２１の箇所で支柱部６の側面を覆うように縦カバー体２９を被嵌装着する。これにより、支柱部６と縦カバー体２９とで囲まれた縦方向の空所は、前記空間２１に対して区画されたコード類２４の配線空間となり、且つ外部からコード類２４が見えないようにすることができ、外観が向上するのである。縦カバー体２９自体の弾性変形力により、溝型断面状の縦カバー体２９の一対の側片２９ａ，２９ａで支柱部を両外側から挟持できるから、当該縦カバー体２９の着脱作業が至極簡単にできるという効果を奏する。従って、縦カバー体２９の材料を合成樹脂材にて形成しても良い。
【００２４】
また、前記縦カバー体２９の一対の両側片２９ａ，２９ａの内面にスライダ３０を設けることにより、縦カバー体２９の着脱作業時に、異音が発生するのを防止することができ、且つ支柱部６の表面を傷つけないようにすることができる。
【００２５】
次に、図３、図９〜図１２を参照しながら、前記空間２１より上方に配置する配線ダクト装置の構成について説明する。合成樹脂材もしくはアルミ金属の押出成形等にて形成された断面上向き開放樋状であって、ユニット１の左右の支柱部６、６の間に配置すべき長手のコード受け樋２５は、前記間仕切のユニット１における上側（積み上げ式）のフレーム５の上横桟７の下方等に二段等の多段に吊懸配置されるものである。
【００２６】
各コード受け樋２５は底板２５ａと該底板２５ａの前後から上向きに伸びる前後壁板２５ｂ，２５ｂとからなる上向きコ字型断面形状に形成されている。
【００２７】
下端（ボルト頭）を最下段のコード受け樋２５の底板２５ａに落下不能に支持させ上向きに貫通突出させた吊りボルト３５の上端を、下向きフック部３６ｂを有する取付け金具３６の下片３６ａに螺着させる。前記左右一対の取付け金具３６、３６をフレーム５等における断面四角筒状の横長連結部材７に取付けするには、図９及び図１２に示すように、前記各下向きフック部３６ｂを横長連結部材７に外周から係合する一方、下片３６ａから上向きに螺合させた押しボルト３７にて前記横長連結部材７の下面に挟みつけて固定すれば良い。押しボルト３７にて横桟７の下面に押しつけすることにより、取付け金具３６は位置は横ずれしないし、前記横桟７から外れないのである。前記横長連結部材７が存在しない中途高さ位置で、左右の支柱部６、６の内側に取付けするときは（図３参照）、各支柱部６に固定した仲介金具３８に取付け金具３６を固定すれば良い。
【００２８】
前記吊りボルト３５に被嵌したスペーサ筒３９の上端にて上側のコード受け樋２５の底板２５ａを落下不能に支持し、且つ上下のコード受け樋２５，２５の上下間隔を保持させるものであり、前記吊りボルト３５と取付け金具３６とを予めコード受け樋２５の長手方向の少なくとも２カ所に配置することにより、ユニット１のフレーム４、５の間口方向から装着できるようになる。なお、そのためには、各コード受け樋２５の長さをフレーム４（５）における左右の支柱部６，６の配置間隔より短く形成しておくことが望ましい。
【００２９】
前記各コード受け樋２５の長手方向の側面（前後面）の外側に配置して、ユニット１の外から見えないように、前記間口方向に沿って長手に配置するフラップ扉２６は、コード受け樋２５の前後壁板２５ｂの外側に対して上下回動可能で、且つ着脱可能に装着されるものである。
【００３０】
即ち、本実施形態におけるコード受け樋２５の前後壁板２５ｂの外側には、図９、図１１及び図１２に示すように、ＡＢＳ樹脂等の合成樹脂製もしくはアルミ押出材等からなるフラップ扉２６の基部を起伏回動可能且つコード受け樋２５の外面に対して交叉する方向から着脱自在な装着部としての雄型係合部４０が上下適宜間隔にて複数箇所（実施例では上下二段）に形成されている。即ち、壁板２５ｂの外側には、各雄型係合部４０としての回動中心となる断面丸軸部４０ａが上向き突出するように設けられている。他方、合成樹脂材もしくはアルミ金属の押出成形等にて形成されたフラップ扉２６の下端縁（基部）には、前記丸軸部４０ａに対して回動可能に被嵌する断面略半円状の雌型係合部４１が形成されている。さらに、各フラップ扉２６の内面には前記雌型係合部４１より上位置に丸軸状の係止条４２が一体的に形成されている。
【００３１】
これらの雌型係合部４１及び係止条４２はフラップ扉２６の全長にわたって一体的に形成され、雄型係合部４０は、コード受け樋２５の長手の全長にわたって一体的に形成されている。
【００３２】
上記の構成により、図９における右側で示すように、フラップ扉２６の大部分が鉛直状となるように閉じる位置から、図９における左側で示すフラップ扉２６がコード受け樋２５の壁板２５ｂに対して略４５度外向きに傾く姿勢まで回動でき、この傾き状態にてコード受け樋２５の壁板２５ｂの外側から雌型係合部４１の下端開放部を雄型係合部４０における丸軸部４０ａに上方から装着でき、逆に外すことができる。
【００３３】
また、各コード受け樋２５の壁板２５ｂには前記雄型係合部４０が上下に複数段に設けられているから、高い位置の雄型係合部４０にフラップ扉２６の基部の雌型係合部４１を嵌合した場合には、当該フラップ扉２６の上方の隙間の上下寸法を小さくできる一方、低い位置の雄型係合部４０にフラップ扉２６の基部の雌型係合部４１を嵌合した場合には、前記横長の連続状の隙間の上下寸法を大きくできるのであり、上下の位置の装着部としての雄型係合部４０に対するフラップ扉２６基部の取付け位置代えにより、コード受け樋２５から間仕切の前面方向に引き出すコード類Ｃの太さに応じた大きさの隙間を至極簡単に形成することができる。
【００３４】
図９、図１１及び図１２はフラップ扉２６をパネル１４と平行状（鉛直状）に保持するための開閉保持部の構成を示す。合成樹脂製の端キャップ４３は断面売り向き略Ｕ字状に一体成形され、コード受け樋２５における前後両壁板２５ｂ，２５ｂの長手方向の端面部を着脱可能に挟む複数の係止片４４が設けられている。そして、前記係止片４４の突出方向と直角方向に突出する二股状の嵌合溝４５が上下複数高さ位置に設けられており、各嵌合溝４５は鉛直状に立てたフラップ扉２６における雌型係合部４０の丸軸部４０ａを弾性的に係合するようになっている。
【００３５】
なお、間仕切のユニット１の間口方向に長い偏平板状のフラップ扉２６の長手方向の両側端に対して着脱可能なフラップキャップ４７が取付けられている。即ち、フラップ扉２６の上端には、その全長にわたって後ろ下向きコ字型の保護縁部４８が形成され、フラップ扉２６の下端（基部）には雌型係合部４０が形成されており、各フラップキャップ４７には、その基板４９から横向きに突出してフラップ扉２６の端部裏面を支持する支持板部５０と、基板４９から支持板部５０の上方に横向きに突出してフラップ扉２６の上縁側に位置する上保護板部５１と、該上保護板部５１から下向きに突設して前記フラップ扉２６の保護縁部４８を脱落不能に抱える係止フック５２と、前記支持板部５０の下部寄りに設けて雌型係合部４０を表裏から抱持する抱持部５３とにより構成されている。
【００３６】
このように構成すると、フラップ扉２６の左右両側端に装着したフラップキャップ４７、４７間の長さ（フラップ扉２６の全長）がユニット１の左右両側の支柱部６，６までの間隔ひいてはパネル１４の間口方向寸法とほぼ同じ長さになるように設定することができ、コード類Ｃの配線作業等のためにフラップ扉２６を開いたとき、左右の支柱部６，６の箇所まで大きく露出させることができて、隣接ユニット１への配線作業が容易になる。そして、フラップキャップ４７の高さ寸法をフラップ扉２６の高さより高く形成しておけば、フラップ扉２６を閉めたとき、当該フラップ扉２６上方の空間６８の上下寸法を大きくしながら左右の支柱部６，６の箇所を確実に覆い隠すことができて美観が向上する。さらに、前記フラップキャップ４７を外すことにより、コード類Ｃを支柱部６の近接箇所からユニット１の前方に引き出すのに便利となる。
【００３７】
上記各実施形態の場合、フラップ扉２６は間仕切の表裏両面のうち片側だけに設けても良いし、両側に設けても良く、間仕切の使用形態に応じて選択したらよい。また、コード受け樋２５やフラップ扉２６の左右長さ（間仕切の間口方向に沿う長手さ）や上下高さ寸法も必要に応じて設定したら良い。また、コード受け樋２５は、間仕切の間口方向の全長にわたって上下多段に設けても良いし、間仕切の間口方向の一部もしくは間仕切の高さ方向の一部だけに設けても良い。この実施形態のように回動自在に取付けると、開閉をワンタッチで行え、間仕切の間口方向からのコード類の配線作業が至極容易にできる利点がある。なお、蝶番を使用するなど、他の取付け形態でフラップ扉２６を開閉自在としても良い。前記空間２１の箇所を透明もしくは半透明のガラス板や樹脂板にて覆うようにしても良い。この場合は採光性のみ達成できる。
【００３８】
【発明の効果】
請求項１の発明によれば、間仕切における配線構造は、間仕切の枠フレームを、左右一対の支柱部と、該左右支柱部の適宜高さ位置で横に連結する横桟とにより構成し、その少なくとも上下一対の横桟と前記左右一対の支柱部とで囲まれた区域を通風性もしくは透光性の空間となし、前記支柱部における前記空間寄りの一側面に上下長手の縦カバー体を着脱可能に装着することにより、前記支柱部の前記一側面と前記縦カバー体とで囲まれた空所を、前記空間に対して区画された配線空間に形成し、前記上下両横桟のうち前記配線空間に臨む箇所には、コード類が通るコード挿通孔を穿設したものである。
【００３９】
このように構成すれば、縦カバー体を外した状態で、コード類を上下の横桟の端部のコード挿通孔を介して支柱部に沿わせて簡単に配線できる。そして、その後、前記空間の箇所で支柱部の側面を覆うように縦カバー体を被嵌装着すれば、支柱部と縦カバー体とで囲まれた縦方向の空所は、前記空間に対して区画されたコード類の配線空間となり、且つ外部からコード類が見えないようにすることができ、外観が向上するとともに、採光性及び／または通気性の優れた間仕切を提供することができるという効果を奏する。
【００４０】
また、請求項２に記載の発明は、請求項１に記載の間仕切の配線構造において、前記縦カバー体はその横断面が一側開放状の溝型断面に形成され、且つ縦カバー体の一対の開放縁片はそれ自体の弾性により、前記支柱部の対向する一対の側面を挟持できるように構成されているものである。
【００４１】
この構成によれば、請求項１に記載の発明の効果に加えて、縦カバー体自体の弾性変形力により、溝型断面状の縦カバー体の一対の開放縁片で支柱部を両外側から挟持できるから、当該縦カバー体の着脱作業が至極簡単にできるという効果を奏する。
【００４２】
そして、請求項３に記載の発明は、請求項１または請求項２に記載の間仕切の配線構造において、前記縦カバー体の内面には、前記支柱部の一対の側面に摺接するスライダを設けたものであるから、請求項１または請求項２に記載の発明のの効果に加えて、縦カバー体の着脱作業時に、異音が発生するのを防止することができ、且つ支柱部の表面を傷つけないようにすることができるという効果を奏する。
【図面の簡単な説明】
【図１】間仕切の斜視図である。
【図２】間仕切のフレームの一部切欠き斜視図である。
【図３】フレームの一部切欠き正面図である。
【図４】縦カバー体装着部の要部拡大断面図である。
【図５】図４のＶ−Ｖ線矢視断面図である。
【図６】下横桟の取付け状態を示す図である。
【図７】支柱部と縦カバー体との装着状態を示す断面図である。
【図８】（ａ）はスライダの側面図、（ｂ）はスライダの平面図である。
【図９】コード受け樋及びフラップ扉の取付け構造を示す側断面図である。
【図１０】フラップ扉とフラップキャップとの取付け状態を示す正面図である。
【図１１】コード受け樋の取付け構造の一部切欠き正面図である。
【図１２】図１１のXII −XII 線矢視拡大図である。
【符号の説明】
１      間仕切のユニット
３      枠フレーム
４      下部フレーム
６      支柱部
７      横長連結部材
１５      横桟
１６      連結金具
１９      コード挿通孔
２１      空間
２２      巾木
２４      コード類
２５      コード受け樋
２６      フラップ扉
２９      縦カバー体
２９ａ    側片
３０      スライダ
【図１】
0003575532.tif 000002
【図２】
0003575532.tif 000003
【図３】
0003575532.tif 000004
【図４】
0003575532.tif 000005
【図５】
0003575532.tif 000006
【図６】
0003575532.tif 000007
【図７】
0003575532.tif 000008
【図８】
0003575532.tif 000009
【図９】
0003575532.tif 000010
【図１０】
0003575532.tif 000011
【図１１】
0003575532.tif 000012
【図１２】
0003575532.tif 000013